(57)【要約】【課題】昇降路内への装置部材の搬入、乗りかご上での懸吊具とチェーンブロックとの連結や取り外しの作業が不要で、乗りかご上で少人数で簡易に短時間で乗りかごを安定して保持できるエレベータ用乗りかご保持装置を提供する。【解決手段】この保持装置４は、ロープ改修作業時以外では延設用基材片４１、４２が乗りかごの上枠３両端のガイドレール５近傍に連結部４１ｃ、４２ｃの嵌合で連結固定され、保持用装着片４３がボルトの締結で基材片４２に装着固定される収納部材となり、ロープ改修作業時には基材片４１、４２の嵌合を外して昇降路壁７側へ移動させて連結部４１ｄ、４２ｄの嵌合で連結固定してボルトの取り外し、ボルト４３ｃの弛めにより装着片４３を上枠３に架け渡してボルト４１ｅ、４３ｃの締結で基材片４１、４２の一端側に固定し、レール５の背面よりも外方の位置に突出した装着片４３がレール５に対する支持部材６の上方部に載置される。【選択図】図５
2014210654.tif 000002
【特許請求の範囲】
【請求項１】
建物の昇降路内で支持部材により支持されて縦列に立設された一対のガイドレールに沿って案内されて昇降する乗りかごの主ロープを交換するロープ改修作業時に当該乗りかごを当該主ロープを使用せずに当該昇降路内で保持するためのエレベータ用乗りかご保持装置であって、
前記乗りかごの上部に設けられた上枠両端における正面側、背面側の前記ガイドレール近傍の対向する位置にそれぞれ嵌合により連結固定されると共に、当該嵌合を外した状態で前記昇降路側へ移動可能な延設用基材片と、前記延設用基材片の正面側、背面側の対向するものにおける何れか一方に対して締結部材を用いて締結した状態の収容時に一体的に装着固定されると共に、前記ロープ改修作業時に当該延設用基材片の前記上枠に対する嵌合を外して当該延設用基材片を当該昇降路側へ移動させて一端側を前記ガイドレールよりも外方へ突出させて当該上枠に対して嵌合により連結固定させてから当該締結部材の前記昇降路側に配置される一部を弛めて他部を取り外した可動状態で当該一端側へ架け渡すように当該ガイドレールよりも外方の位置に移動させた状態で当該締結部材を締結させることにより、当該延設用基材片の正面側、背面側の対向するものにおける一端側に対して一体的に固定されて前記支持部材の上方部に載置される保持用装着片と、を備えたことを特徴とするエレベータ用乗りかご保持装置。
【請求項２】
請求項１記載のエレベータ用乗りかご保持装置において、前記延設用基材片は、前記上枠に嵌合により連結固定される収容時に当該上枠の所定箇所に設けられた連結部と嵌合する上向きの凹部を有する収容時固定溝と、前記収容時固定溝よりも前記昇降路側に設けられると共に、前記ロープ改修作業時の前記上枠に対する嵌合を外して移動させての延設時に当該上枠の当該昇降路側の所定箇所に設けられた別の連結部と嵌合する複数の下向きの凹部を有する延設時固定溝と、を当該上枠に対する装着部となる立設片に有することを特徴とするエレベータ用乗りかご保持装置。
【請求項３】
請求項１又は２記載のエレベータ用乗りかご保持装置において、前記保持用装着片は、前記ロープ改修作業時の前記締結部材の前記昇降路側に配置される一部を弛めて他部を取り外した可動状態での延設時に当該締結部材の当該昇降路側に配置される一部に対するガイド溝となる長穴を有すると共に、当該長穴にガイドされて回動可能であり、且つ長手方向に移動可能であることを特徴とするエレベータ用乗りかご保持装置。
【請求項４】
請求項３記載のエレベータ用乗りかご保持装置において、前記保持用装着片は、前記上枠に嵌合により連結固定された前記延設用基材片の正面側、背面側の対向するものにおける何れか一方に対して前記締結部材を締結して装着固定される収容時には前記ガイドレール及び前記支持部材に対して非干渉で装着固定されると共に、前記ロープ改修作業時の当該締結部材の前記昇降路側に配置される一部を弛めて他部を取り外した可動状態での延設時には当該延設用基材片の正面側、背面側の対向するものにおける何れか一方から当該締結部材の当該昇降路側に配置される一部を起点として前記長穴に沿った回動、並びに前記長手方向への移動を要して当該延設用基材片の正面側、背面側の対向するものにおける何れか他方の一端側へ架け渡しての位置決めに供されることを特徴とするエレベータ用乗りかご保持装置。
【発明の詳細な説明】
【技術分野】
【０００１】
本発明は、エレベータの乗りかごをロープを使用せずに昇降路内で保持する機能を備えたエレベータ用乗りかご保持装置に関する。
【背景技術】
【０００２】
従来、この種のエレベータ用乗りかご保持装置に係る周知技術として、エレベータの乗りかごの上枠が乗りかご吊りに耐える強度を有していなくても昇降路内に安定して吊り下げられるようにするため、乗りかごの縦枠の上端部にそれぞれ懸吊具を取り付け、この懸吊具にチェーンブロックを連結して、乗りかごの吊り荷重を縦枠に主に引張り荷重として作用させるようにした「エレベータのかご吊下装置及びかご吊下方法」（特許文献１参照）が挙げられる。
【先行技術文献】
【特許文献】
【０００３】
【特許文献１】特開２０００−５３３４５号公報
【発明の概要】
【発明が解決しようとする課題】
【０００４】
上述した特許文献１に係る技術は、乗りかごをロープを使用せずに昇降路内に保持することができるため、乗りかごの主ロープを交換する改修作業に適用すれば或る程度有効であるが、昇降路内へかご吊下装置の部材を搬入するための事前の段取りに手間が掛かる上、乗りかご上で懸吊具とチェーンブロックとを連結したり、或いはそれらを取り外すための作業にも手間や時間を要し、その労力に相応する作業員の人数が必要になって簡易に主ロープの改修作業を行うことができないという不便がある。
【０００５】
本発明は、このような問題点を解決すべくなされたもので、その技術的課題は、昇降路内への装置部材の搬入、並びに乗りかご上での懸吊具とチェーンブロックとの連結や取り外しの作業が不要であり、しかも乗りかご上で少人数で簡易に短時間で乗りかごを安定して保持できるエレベータ用乗りかご保持装置を提供することにある。
【課題を解決するための手段】
【０００６】
上記技術的課題を解決するため、本発明は、建物の昇降路内で支持部材により支持されて縦列に立設された一対のガイドレールに沿って案内されて昇降する乗りかごの主ロープを交換するロープ改修作業時に当該乗りかごを当該主ロープを使用せずに当該昇降路内で保持するためのエレベータ用乗りかご保持装置であって、乗りかごの上部に設けられた上枠両端における正面側、背面側のガイドレール近傍の対向する位置にそれぞれ嵌合により連結固定されると共に、当該嵌合を外した状態で昇降路側へ移動可能な延設用基材片と、延設用基材片の正面側、背面側の対向するものにおける何れか一方に対して締結部材を用いて締結した状態の収容時に一体的に装着固定されると共に、ロープ改修作業時に当該延設用基材片の上枠に対する嵌合を外して当該延設用基材片を当該昇降路側へ移動させて一端側をガイドレールよりも外方へ突出させて当該上枠に対して嵌合により連結固定させてから当該締結部材の昇降路側に配置される一部を弛めて他部を取り外した可動状態で当該一端側へ架け渡すように当該ガイドレールよりも外方の位置に移動させた状態で当該締結部材を締結させることにより、当該延設用基材片の正面側、背面側の対向するものにおける一端側に対して一体的に固定されて支持部材の上方部に載置される保持用装着片と、を備えたことを特徴とする。
【発明の効果】
【０００７】
本発明のエレベータ用乗りかご保持装置によれば、延設用基材片とそれに装着可能な保持用装着片とによる展開可能な部材組み付け構造を持ち、ロープ改修作業時以外では延設用基材片が乗りかごの上枠両端のガイドレール近傍に対して嵌合により連結固定されると共に、保持用装着片が締結部材の締結により延設用基材片に対して一体的に装着固定される収納部材となるため、乗りかごの昇降運転中におけるガイドレールや支持部材との干渉を回避することができ、ロープ改修作業時には延設用基材片の嵌合を外して昇降路側へ移動させて別な箇所で嵌合により連結固定すると共に、締結部材の部分的な取り外し、並びに弛めにより保持用装着片を上枠に対して架け渡すように移動させて位置決めしてから締結部材の締結により延設用基材片に対して一体的に固定して昇降路のガイドレールの背面よりも外方の位置に突出した保持用装着片をガイドレールに対する支持部材の上方部に載置させる構造としているため、従来のように昇降路内への装置部材の搬入、並びに乗りかご上での懸吊具とチェーンブロックとの連結や取り外しの作業が不要となり、乗りかご上で少人数で簡易に短時間で乗りかごを安定して保持できるようになる。
【図面の簡単な説明】
【０００８】
【図１】本発明の実施例１に係るエレベータ用乗りかご保持装置を含む昇降路内におけるロープ改修作業直前の乗りかごの周辺構造の要部を正面方向から示した図である。
【図２】図１に示したエレベータ用乗りかご保持装置の乗りかごの上枠に対する収納状態を正面方向から図１中のＡ部に対応させて部分的に示した図である。
【図３】図１に示したエレベータ用乗りかご保持装置の乗りかごの上枠に対する収納状態を上面方向から部分的に示した図である。
【図４】図１に示したエレベータ用乗りかご保持装置のロープ改修作業時における乗りかごの上枠からの展開途中状態を上面方向から部分的に示した図である。
【図５】図１に示したエレベータ用乗りかご保持装置のロープ改修作業時における乗りかごの上枠からの展開完了状態を上面方向から部分的に示した図である。
【図６】図１に示したエレベータ用乗りかご保持装置のロープ改修作業時における乗りかごの上枠からの展開完了状態を正面方向から部分的に示した図である。
【発明を実施するための形態】
【０００９】
以下に、本発明のエレベータ用乗りかご保持装置について、実施例を挙げ、図面を参照して詳細に説明する。
【実施例１】
【００１０】
図１は、本発明の実施例１に係るエレベータ用乗りかご保持装置４を含む昇降路７ａ内におけるロープ改修作業直前の乗りかご１の周辺構造の要部を正面方向から示した図である。
【００１１】
図１を参照すれば、乗りかご１の周辺構造では、乗りかご１の両方の側面に配備された縦枠２上を架け渡すように乗りかご１の上部に配備された上枠３に主ロープ９が連結され、主ロープ９への図示されない巻上機による巻上げ動作に伴い、建物の昇降路壁７で区画される昇降路７ａ内でブラケット等の支持部材６により支持されて縦列（垂直）に立設された一対のガイドレール５に沿って乗りかご１の頂面及び底面に設けられたガイドシュー８が案内され、乗りかご１が昇降路７ａ内で各階床間を昇降するようになっている。但し、ここではその他、乗りかご１の主ロープ９を交換するロープ改修作業時に乗りかご１を主ロープ９を使用せずに昇降路７ａ内で保持するためのエレベータ用乗りかご保持装置４が上枠３の両端側に設けられており、その昇降路７ａ（昇降路壁７）側の外方に突出した部分が乗りかご１の降下時に支持部材６上に載置され、このロープ改修作業直前状態で主ロープ９を外しても乗りかご１は乗りかご保持装置４によって保持されることになり、主ロープ９を交換するロープ改修作業を実施することができるようになっている。乗りかご保持装置４は、基本構造として、後述するように延設用基材片とそれに装着される保持用装着片とによる展開可能な部材組み付け構造を持つ。
【００１２】
図２は、乗りかご保持装置４の乗りかご１の上枠３に対する収納状態を正面方向から図１中のＡ部に対応させて部分的に示した図である。また、図３は乗りかご保持装置４の乗りかご１の上枠３に対する収納状態を上面方向から部分的に示した図である。
【００１３】
図２及び図３を参照すれば、乗りかご保持装置４は、乗りかご１の上部に設けられた上枠３両端における正面側、背面側のガイドレール５近傍の対向する位置にそれぞれ嵌合により連結固定されると共に、嵌合を外した状態で昇降路壁７（昇降路７ａ）側へ移動可能な端面方向での断面形状が逆Ｌ字状の延設用基材片４２、４１と、正面側の延設用基材片４２の鍔部に対して締結部材であるボルト４３ｂ、４３ｃを用いて締結した状態の収容時に一体的に装着固定される板状の保持用装着片４３と、を備えている。因みに、延設用基材片４１の昇降路壁７側寄りの先端に取り付けられたボルト４１ｅは、収容時には他の部材を固定する働きを持たないが、後述する展開時には保持用装着片４３を延設用基材片４１に対して装着固定する働きを持つ。但し、保持用装着片４３を装着固定するためには後文で説明するように取り外したボルト４３ｂを使用することもできるので、そうした場合にはボルト４１ｅは不要となるが、予備用として備えることも作業上では必要な場合がある。尚、ここでの延設用基材片４２、４１の細部構造については互いに入れ替えた構造としても良い。
【００１４】
このうち、延設用基材片４２は、上枠３に嵌合により連結固定される収容時に上枠３の所定箇所に設けられた連結部４２ｃと嵌合する上向きの凹部を有する収容時固定溝４２ａと、収容時固定溝４２ａよりも昇降路壁７側に設けられると共に、ロープ改修作業時の上枠３に対する嵌合を外して移動させての延設時に上枠３の昇降路壁７側の所定箇所に設けられた別の連結部４２ｄと嵌合する複数の下向きの凹部を有する延設時固定溝４２ｂと、を上枠３に対する装着部となる立設片に有する。尚、延設用基材片４１についても同様な構造の図示されない収容時固定溝４１ａ及び延設時固定溝４１ｂを持つもので、上枠３の背面側にも収容時嵌合用の連結部４１ｃ、延設時嵌合用の連結部４１ｄが設けられ、延設時にはボルト４１ｅが取り外される。
【００１５】
上枠３の連結部４１ｃ、４２ｃは、収容時に図示されない収容時固定溝４１ａ、収容時固定溝４２ａの昇降路壁７側の端部の上向きの凹部に嵌合され、上枠３の連結部４１ｄ、４２ｄは、収容時に図示されない延設時固定溝４１ｂ、延設時固定溝４２ｂの昇降路壁７側の端部壁部に係止されて嵌合される。ここで、収容時固定溝４１ａ、収容時固定溝４２ａの上向きの凹部に連結部４１ｃ、４２ｃが嵌合していることにより、延設用基材片４１、４２の延設移動が阻止される。また、延設用基材片４２における上向きの凹部を除く収容時固定溝４２ａの延在部と下向きの凹部を除く延設時固定溝４２ｂの延在部とは延設用基材片４２の長手方向に平行しているが、立設片の背高方向では延設時固定溝４２ｂの延在部が収容時固定溝４２ａの延在部よりも高い位置に設けられ、延設用基材片４１についても同様に背高方向で延設時固定溝４１ｂの延在部が収容時固定溝４１ａの延在部よりも高い位置に設けられているため、延設用基材片４１、４２の水平方向の鍔部は上枠３との連結固定時に上枠３の上端よりも低い位置になり、保持用装着片４３をボルト４３ｂ、４３ｃを締結して延設用基材片４２に装着固定した収容時に保持用装着片４３の上端が上枠３の上端とほぼ等しくなり、昇降路壁７側へ突出せずに収容部材として一体的に固定されるため、乗りかご１の昇降運転中に乗りかご保持装置４がガイドレール５や支持部材６に干渉して破損することを防止することができる。
【００１６】
保持用装着片４３は、ロープ改修作業時の延設用基材片４１、４２の上枠３に対する嵌合を外してボルト４３ｃを弛めて他のボルト４１ｅ、４３ｂを取り外した可動状態での延設時にボルト４３ｃに対するガイド溝となる長穴４３ａを有しており、長穴４３ａにガイドされて回動可能であり、且つ長手方向に移動可能となっている。
【００１７】
図４は、乗りかご保持装置４のロープ改修作業時における乗りかご１の上枠３からの展開途中状態を上面方向から部分的に示した図である。
【００１８】
図４を参照すれば、ここではロープ改修作業時に延設用基材片４１、４２の上枠３に対する嵌合を延設用基材片４１、４２を上方に引き上げることで外し（このとき、収容時固定溝４１ａ、４２ａの上向きの凹部から連結部４１ｃ、４２ｃが脱出して延設用基材片４１、４２は上方に移動可能になる）て、連結部４１ｃ、４２ｃと連結部４１ｄ、４２ｄとがそれぞれ収容時固定溝４１ａ、４２ａの延在部と延設時固定溝４１ｂ、４２ｂの延在部とに沿ってガイドされるように延設用基材片４１、４２を昇降路壁７側へ移動させて一端側をガイドレール５よりも外方へ突出させて上枠３に対して嵌合により連結固定させる。この状態では、連結部４１ｃ、４２ｃが収容時固定溝４１ａ、４２ａの昇降路壁７側の反対側の端部壁部に係止され、連結部４１ｄ、４２ｄが延設時固定溝４１ｂ、４２ｂの昇降路７ａ（昇降路壁７）の反対側の端部にある下向きの凹部に乗りかご１の自重によって促進されて嵌合され、延設用基材片４１、４２の水平方向の動きが抑制される。そこで、ボルト４３ｃを弛めて他のボルト４１ｅ、４３ｂを取り外した可動状態（延設用基材片４１、４２の鍔部にはそれぞれボルト穴４１ｆ、４３ｆが露呈される）で保持用装着片４３を長穴４３ａに沿って回動させて移動させる。
【００１９】
保持用装着片４３の移動は、ガイドレール５の背面と昇降路壁７との間を通して延設用基材片４１、４２の一端側へ架け渡すように行い、ガイドレール５よりも外方の位置で長穴４３ａの先端側がボルト穴４１ｆと合致する位置となるように移動させた状態で位置決めした後、ボルト穴４１ｆに対してボルト４１ｅ（或いはボルト４３ｂ）と反対側のボルト４３ｃとを締結させることになる。保持用装着片４３はボルト４３ｃを起点として回動可能となるため、ガイドレール５の背面と昇降路壁７との間の距離が小さい場合でも容易に作業を行うことができる。
【００２０】
図５は、乗りかご保持装置４のロープ改修作業時における乗りかご１の上枠３からの展開完了状態を上面方向から部分的に示した図である。図６は、乗りかご保持装置４のロープ改修作業時における乗りかご１の上枠３からの展開完了状態を正面方向から部分的に示した図である。
【００２１】
図５及び図６を参照すれば、乗りかご保持装置４の展開完了状態では、上述した延設用基材片４１、４２の一端側をガイドレール５よりも外方へ突出させて上枠３に対して嵌合により連結固定させた延設時において、上枠３の連結部４１ｃ、４２ｃが図示されない収容時固定溝４１ａ、収容時固定溝４２ａの昇降路壁７側とは反対側の端部壁部に係止されて嵌合され、上枠３の連結部４１ｄ、４２ｄが図示されない延設時固定溝４１ｂ、延設時固定溝４２ｂの昇降路壁７側とは反対側の下向きの凹部に嵌合（図６中では最も昇降路壁７から遠い左端の下向きの凹部に嵌合される場合を示す）される。因みに、延設時固定溝４１ｂ、４２ｂに複数の下向きの凹部を持たせた理由は、延設用基材片４１、４２を移動させての延設時に支持部材６への掛かり代を調整可能とし、ガイドレール５や支持部材６の形状や長さが異なる場合にも対応できる構造とするためである。また、保持用装着片４３は、図４で説明したように弛めたボルト４３ｃ起点として長穴４３ａに沿った回動、並びに長手方向への移動を要して背面側の延設用基材片４１の一端側へ架け渡しての位置決めに供され、それによりガイドレール５よりも外方の位置に移動させた状態の延設用基材片４１、４２の一端側への架け渡しによる位置決めを行った後、ボルト４１ｅ（或いはボルト４３ｂ）、４３ｃを締結させることで延設用基材片４１、４２の一端側に対して保持用装着片４３を装着固定させる。これにより、乗りかご保持装置４の設置が完了する。
【００２２】
乗りかご保持装置４の設置が完了した後には、図１を参照して説明したように、巻上機で主ロープ９の巻上げを調整して乗りかご１を降下させて保持用装着片４３が支持部材９の上方部に載置されるロープ改修作業直前状態とし、これによって主ロープ９を外しても乗りかご１は昇降路７ａ内の所定位置に乗りかご保持装置４によって保持されるため、作業員が乗りかご１上で上枠３に連結された主ロープ９を外して交換するロープ改修作業を実施する。
【００２３】
以上に説明した実施例１に係る乗りかご保持装置４は、延設用基材片４１、４２とその延設用基材片４２に装着される保持用装着片４３とによる展開可能な部材組み付け構造を持ち、ロープ改修作業時以外では延設用基材片４１、４２が乗りかご１の上枠３両端のガイドレール５近傍に対して連結部４１ｃ、４２ｃの嵌合により連結固定されると共に、保持用装着片４３がボルト４３ｂ、４３ｃの締結により延設用基材片４２に対して一体的に装着固定される収納部材となるため、乗りかご１の昇降運転中におけるガイドレール５や支持部材６との干渉を回避することができる。
【００２４】
また、ロープ改修作業時には延設用基材片４１、４２の連結部４１ｃ、４２ｃの嵌合を外して昇降路７ａ（昇降路壁７）側へ移動させて別な箇所の連結部４１ｄ、４２ｄの嵌合により連結固定すると共に、ボルト４１ｅ、４３ｂの取り外し、並びにボルト４３ｃの弛めにより保持用装着片４３を上枠３に対して架け渡すように移動させて位置決めしてからボルト４１ｅ（或いはボルト４３ｂ）とボルト４３ｃとの締結により延設用基材片４１、４２に対して一体的に固定して昇降路７a（昇降路壁７）のガイドレール５の背面よりも外方の位置に突出した保持用装着片４３をガイドレール５に対する支持部材６の上方部に載置させる構造としているため、従来のように昇降路７ａ内への装置部材の搬入、並びに乗りかご１上での懸吊具とチェーンブロックとの連結や取り外しの作業が不要となり、乗りかご１上で少人数で簡易に短時間で乗りかごを安定して保持できるようになる。
【００２５】
尚、実施例１に係る乗りかご保持装置４では、ロープ改修作業時の展開手順として、延設用基材片４１、４２の嵌合を外して移動させた後に別な位置で嵌合させた後、ボルト４１ｅ、４３ｂの取り外し、並びにボルト４３ｃの弛めにより保持用装着片４３を上枠３に対して架け渡すように移動させて位置決めしてから延設用基材片４１、４２の一端側にボルト４１ｅ（或いはボルト４３ｂ）とボルト４３ｃとの締結により装着固定する流れを説明したが、ロープ改修作業終了時の収容手順は係るロープ改修作業時の展開手順を逆にして保持用装着片４３について、ボルト４１ｅ（或いはボルト４３ｂ）を取り外し、ボルト４３ｃを弛めて延設用基材片４２側に戻してボルト４３ｂとボルト４３ｃとの締結により延設用基材片４２に対して装着固定した後、延設用基材片４１、４２の嵌合を外して引き戻すようにして再度嵌合させる流れで行えば良いものである。
【符号の説明】
【００２６】
１  乗りかご
２  縦枠
３  上枠
４  乗りかご保持装置
５  ガイドレール
６  支持部材
７  昇降路
７ａ  昇降路壁
８  ガイドシュー
９  主ロープ
４１、４２  延設用基材片
４１ａ、４２ａ  収容時固定溝
４１ｂ、４２ｂ  延設時固定溝
４１ｃ、４１ｄ、４２ｃ、４２ｄ  連結部
４１ｅ、４３ｂ、４３ｃ  ボルト
４１ｆ、４３ｆ  ボルト穴
４３  保持用装着片
４３ａ  長穴
【図１】
2014210654.tif 000003
【図２】
2014210654.tif 000004
【図３】
2014210654.tif 000005
【図４】
2014210654.tif 000006
【図５】
2014210654.tif 000007
【図６】
2014210654.tif 000008